(57)【特許請求の範囲】
【請求項１】
作業機械を含む作業現場を覆う形状をなして、防音パネルにより周囲および上面が囲まれて下面側が開放された防音ハウスと、この防音ハウスの下部に備えられて接地する複数の車輪と、この複数の車輪に回転駆動力を伝達する駆動装置と、前記防音ハウスを上下動させて接地可能とするジャッキ装置と、からなる移動式防音ハウスであって、
前記防音ハウスは、前記防音パネルにより前面と左右面が囲まれて下面側および上面側がともに開放されると共に、後面に前記作業機械の出入口用の前記防音パネルによる開閉扉が設けられ、かつ、前記複数の車輪を備えて前記駆動装置を搭載した下部側の防音ハウス駆動部と、この防音ハウス駆動部上に載せられて切り離し可能で、前記防音パネルにより前後左右面および上面が囲まれて下面側が開放された上部側の防音ハウス本体部と、からなることを特徴とする移動式防音ハウス。
【請求項２】
前記ジャッキ装置は前記防音ハウスと前記複数の車輪の各車軸との間にそれぞれ介設され、前記複数の車輪のうち少なくとも一組は操舵可能な転舵輪を兼ねていることを特徴とする請求項１記載の移動式防音ハウス。
【発明の詳細な説明】
【０００１】
【発明の属する技術分野】
本発明は、作業現場の移動に合わせて自走により移動して簡易に再設置できる移動式防音ハウスに関するものである。
【０００２】
【従来の技術】
都市における土木・建築基礎工事等の工事の防音対策として、例えば、シールド工での土砂搬出設備用の防音ハウスや防音建屋を現場に設置することが行われ、これにより工事騒音を低減して環境保全が図られる。
【０００３】
【発明が解決しようとする課題】
しかし、従来の防音ハウスや防音建屋は現場で組み立てて設置するものであり、工事の進行に伴う現場の移動に際しては、防音ハウスや防音建屋の解体・再組立を行わなければならず、面倒な作業を必要とし、その解体・再組立のための工期を必要としていた。
【０００４】
そこで、本発明の目的は、工事の進行等に伴う現場の移動に合わせて、自走により移動して再設置できるようにした移動式防音ハウスを提供することにある。
【０００５】
【課題を解決するための手段】
以上の課題を解決すべく請求項１記載の発明は、
都市における土木・建築基礎工事等の工事の防音対策として使用する移動式防音ハウスであって、
例えば、地盤改良工に用いるクローラードリル等の作業機械を含む作業現場を覆う形状をなして、遮音材・吸音材を組み合わせる等した防音パネルにより前後左右の周囲および上面が囲まれて下面側が開放された防音ハウスと、
この防音ハウスの下部の左右両側等に備えられて接地する複数、例えば、前後左右４個等の車輪と、
この複数（４個等）の車輪に、移動の際に、回転駆動力を伝達する油圧モーター等の駆動装置と、
例えば、移動・再設置の際に、前記防音ハウスを上下動させて接地可能とする油圧シリンダー等のジャッキ装置と、
からなる構成を特徴としている。
【０００６】
このように、下部に駆動装置により回転駆動力が伝達される複数の車輪を備える防音ハウスなので、駆動装置の駆動による車輪の回転によって、防音ハウスが自走して移動する。
しかも、ジャッキ装置を備える防音ハウスなので、移動の際にはジャッキ装置の駆動により防音ハウスを上昇させて、車輪の駆動による自走が容易に行え、移動後はジャッキ装置の駆動で防音ハウスを下降により接地させて、再設置が行える。
従って、工事の進行等に伴う作業機械の移動、即ち、現場の移動に合わせて、防音ハウスを自走により移動して容易に再設置でき、面倒な解体・再組立作業を一切必要としないので、工期を大幅に短縮できる。
【０００７】
さらに、請求項１記載の発明は、前記防音ハウスは、前記防音パネルにより前面と左右面が囲まれて下面側および上面側がともに開放されると共に、後面に前記作業機械（クローラードリル等）の出入口用の前記防音パネルによる両開き扉等の開閉扉が設けられ、かつ、前記複数（４個等）の車輪を備えて、例えば、前部機械デッキ等に前記駆動装置（例えば、４輪駆動装置等）を搭載した下部側の防音ハウス駆動部と、この防音ハウス駆動部上に載せられて切り離し可能で、前記防音パネルにより前後左右面および上面が囲まれて下面側が開放された上部側の防音ハウス本体部と、からなる構成を特徴としている。
【０００８】
このように、車輪およびその駆動装置を有する下部側の駆動部の上に上部側の本体部を切り離し可能に載せてなる防音ハウスなので、歩道橋下や鉄道橋下や高架道下の通過の際には、上部側の本体部を下部側の駆動部から切り離してクレーン等で運び、下部側の駆動部が歩道橋下や鉄道橋下や高架道下を通過した後に、上部側の本体部を下部側の駆動部上に再度接続して一体化できる。
こうして、歩道橋下や鉄道橋下や高架道下の通過に対応できる。
【０００９】
そして、請求項２記載の発明は、請求項１記載の移動式防音ハウスであって、前記ジャッキ装置（油圧シリンダー等）は前記防音ハウス（特に、下部側の駆動部）と前記複数（４個等）の車輪の各車軸との間にそれぞれ介設され、前記複数（４個等）の車輪のうち少なくとも一組、例えば、前輪は操舵可能な転舵輪を兼ねている構成を特徴としている。
【００１０】
このように、防音ハウスと車軸との間に介設したジャッキ装置の駆動によって、接地状態の車輪に対して、移動の際に防音ハウスを上昇させたり、移動後の再設置の際に防音ハウスを下降させたりできる。
また、転舵輪を備えることで、防音ハウスの位置合わせのための舵が切れる。
【００１１】
【発明の実施の形態】
以下に、本発明に係る移動式防音ハウスの実施の形態例を図１から図１３に基づいて説明する。
先ず、図１は本発明を適用した一例としての移動式防音ハウスの移動の際の外観を示す概略側面図で、図２はその移動式防音ハウスの後方からの外観を示す概略後面図である。
これらの図１および図２において、１は移動式防音ハウス、２は防音ハウス駆動部、３は防音ハウス本体部、４は下部防音ハウス、５は前部機械デッキ、６は前車輪、７は後車輪、８は開閉扉である。
【００１２】
この実施の形態例では、都市における土木基礎工事の地盤改良工に用いるクローラードリル、例えば、薬液注入工削孔用機械であるパーカッションドリルによる工事現場の騒音対策として用いる移動式防音ハウス１である。
即ち、この移動式防音ハウス１は、クローラードリル（パーカッションドリル）の移動に合わせてその場所を簡易に変えられるもので、図示のように、ほぼ下半部を構成する防音ハウス駆動部２と、ほぼ上半部を構成する防音ハウス本体部３とからなる上下に分割可能なものである。
防音ハウス駆動部２は、防音ハウス本体部３を載せて固定する下部防音ハウス４に前部機械デッキ５を備えたもので、前部機械デッキ５の左右に前車輪６，６を備え、下部防音ハウス４の後部左右に後車輪７，７を備えると共に、その下部防音ハウス４の後面に両開きの開閉扉８，８を備えている。
【００１３】
この防音ハウス駆動部２は、その骨組構造を示した図５から図８に示すように、下部防音ハウス４および前部機械デッキ５ともに、縦横の鋼材により柱および梁等を形成した骨組部９，１０から構成されており、下部防音ハウス４は、その骨組部９の左右両側面および前面に、図３にも示すように、遮音材・吸音材を組み合わせた防音パネルによる壁パネル１１，１１，１１，…を貼り付けてなる。
ここで、下部防音ハウス４後面の開閉扉８，８についても、壁パネル１１と同様に、遮音材・吸音材を組み合わせた防音パネルにより構成されている。
なお、下部防音ハウス４の左右両側面の壁パネル１１，１１，１１，…については、図１に示すように、前半部および後半部に１枚ずつのダクトパネル１２，１２が設けられており、即ち、このダクトパネル１２は、上部に吸気ダクト１３を備えたものである。
また、このような防音ハウス駆動部２は、下部防音ハウス４と前部機械デッキ５がボルトナットにより結合されていて、そのボルトナットの着脱により分解・再組立可能となっており、しかも、下部防音ハウス４も、その前半部と後半部がボルトナットにより結合されていて、そのボルトナットの着脱により分解・再組立可能となっている。
【００１４】
以上のような下部防音ハウス４の上に載せて固定される防音ハウス本体部３は、その骨組構造を示した図５から図７および図９に示すように、縦横の鉄骨により柱と梁およびブレース等を形成した骨組部１４から構成されており、その骨組部１４の左右両側面と前面および後面に、遮音材・吸音材を組み合わせた防音パネルによる壁パネル１５，１５，１５，…を貼り付けると共に、骨組部１４の上面に、図４にも示すように、同じく遮音材・吸音材を組み合わせた防音パネルによる屋根パネル１６，１６，１６，…を貼り付けてなる。
なお、屋根パネル１６，１６，１６，…については、図４に示すように、前半部に２枚で後半部に３枚のダクトパネル１７，１７，１７，…が設けられており、即ち、このダクトパネル１７は、一端部側に排気ダクト１８を備えたものである。
また、このような防音ハウス本体部３は、前記下部防音ハウス４の上にボルトナットにより結合されていて、そのボルトナットの着脱により分解・再組立可能となっている。
【００１５】
そして、後車輪７の車軸１９と下部防音ハウス４との間には、油圧シリンダーによる上下動操作用のジャッキ装置２０が介設されており（図２および図５参照）、その車軸１９は、図示しない油圧モーターによる駆動装置に連結されている。
また、前車輪６の車軸２１と車軸支持ビーム２２との間にも、油圧シリンダーによる上下動操作用のジャッキ装置２３が介設されており（図１、図３、図５、図８および図１０参照）、その車軸２１も、後車輪７と同様に、図示しない油圧モーターによる駆動装置に連結されている。
さらに、車軸支持ビーム２２は、前部機械デッキ１０に対し操舵用の油圧モーター２４を介して連結されている（図８および図１０参照）。
【００１６】
また、前部機械デッキ１０には、油圧ユニット２５、発動発電機２６，２７、スポットクーラー２８が搭載されると共に、操作盤２９が備えられている（図１０および図１１参照）。
なお、油圧ユニット２５は、前記油圧シリンダー（ジャッキ装置２０，２３）と移動用の前記油圧モーター（車輪駆動装置）および操舵用の前記油圧モーター２４への圧油供給源であり、発動発電機２６は、その油圧ユニット２５用の駆動源であって、発動発電機２７は、照明換気用の駆動源である。
以上の構成による移動式防音ハウス１の実施例を次に記す。
【００１７】
0003586009.tif 000002
【００１８】
２．防音ハウス本体部の装備
（１）機能
駆動部の上に載せ、クローラードリルから発生する騒音を吸収する役割を持ち、内部に以下の機器を設備している。
歩道橋下通過の際に下部駆動部と切り離し、再度取り付けるための自重に耐える吊りピースを持ち、かつ、それに耐える構造である。
なお、下部駆動部との分割部を通る電線類は、コネクターによる接続である。
（２）防音設備
ユニット式防音パネル：１式（遮音材・吸音材を組み合わせた防音パネル）
（３）換気設備
重機排気ガス排出用強制換気ダクト：１基
内  部  一  般  換  気  ダ  ク  ト：１式
（４）照明設備
蛍光灯（４０Ｗ１灯型）：６台
【００１９】
３．防音ハウス駆動部の機能と装備および性能
（１）機能
防音ハウス本体部を載せ、クローラードリルから発生する騒音を吸収すると共に、移動する役割を持ち、以下の設備・機器・性能を具備する。
基本構造としては、後部に重機の出入口用扉を持つ鋼構造であり、可搬式とするため３分割可能な構造である。
防音構造としては、両側外壁部および前部に防音パネルを取り付け、後部の重機出入口用扉は、防音機能を具備する両開き扉である。
（２）防音設備
ユニット式防音パネル：１式（遮音材・吸音材を組み合わせた防音パネル）
（３）駆動方法および駆動機器
駆動方式：油圧モーターによる４輪駆動（電動油圧式）
タイヤ径：φ１，２００ｍｍ
タイヤ幅：      ２５０ｍｍ
操舵方式：油圧モーター
上下動方式：油圧シリンダー駆動
油圧ユニット（圧力２１０Ｋｇ／ｃｍ２）：１台
移動用油圧モーター：４台
操舵用油圧モーター：１台
油圧シリンダー：４本
油圧操作弁（モーター・シリンダーとも一括操作）：１式
発電機（油圧ユニット用；７５ＫＶＡ）：１台
発電機（照明換気用；１０ＫＶＡ）：１台
制御盤（モーター発停止盤含む）：１面
遠隔操作盤：１面
遠隔操作スイッチ箱（８点スイッチ式）：１式
スポットクーラー：１台
（４）性能
移動速度：およそ時速１Ｋｍ（ＭＡＸ）（秒速３０ｃｍ）
登坂速度：３％（１°４３′）
傾斜角度：３％（１°４３′）
上下動量：１５０ｍｍ
【００２０】
４．油圧操作方法
▲１▼天井クレーン用のペンダントスイッチを流用した有線リモートコントロール方式（交換可能なコネクター式）
▲２▼移動・上下・ステアリングの各動作の選択方式（複合動作不能）
▲３▼モーター・シリンダーとも一括動作方式（個別動作不能）
例えば、ジャッキアップの時、傾斜地では傾斜したままとなり、ステアリングは据え切りとなる。
▲４▼油圧系統故障発生時に牽引移動可能とするよう油圧モーターがフリー状態となる。
【００２１】
５．一般事項
▲１▼本機（移動式防音ハウス）は、クローラードリルより発生する騒音をカバーし、かつ、クローラードリルの移動に合わせて、その場所を簡易に変えられるものである。
そして、本機は、基本的に道路中央部の前後左右ともに傾斜の少ない場所を移動するもので、位置合わせのために若干舵を切れるものであり、外形的には、鉄骨構造の本体部と鋼構造の駆動部に分けられ、後部に重機出入口用扉を備え、かつ、歩道橋下通過のために上下分割できるものである。
▲２▼本機の車軸は、油圧ジャッキに直接取り付いており、サスペンション機能は持たない。
▲３▼本機は、第３者の全く侵入し得ない限定された場所で、若干の不陸はあるがほぼ平坦な舗装された場所、または覆工された場所で使用される。
▲４▼本機の接地面には、滑り防止・対履工板養生として５０ｍｍ厚の松板を取り付ける。
▲５▼本機の移動能力について、若干の不陸（１０ｍｍ程度）がある場合、速度は落ちるが乗り越える余裕はある。
▲６▼本機の補強対策として、本体部にアンカー用のラッシングピースを取り付ける。
【００２２】
以上の構成による移動式防音ハウス１によれば、次に列挙する諸効果が得られる。
（１）油圧モーターによる前車輪６，６および後車輪７，７の４輪駆動によって、防音ハウス１の自走による移動が行え、しかも、油圧シリンダーによるジャッキ装置２０，２０，２３，２３の動作によって、移動の際には、図１および図２に示すように、防音ハウス１を上昇させて、４輪駆動による自走が容易に行える。
そして、その移動後は、油圧シリンダーによる前記ジャッキ装置２０，２０，２３，２３の逆動作によって、図１２および図１３に示すように、防音ハウス１を下降させて接地させることで、再設置できる。
【００２３】
（２）前車輪６，６および後車輪７，７を備える防音ハウス駆動部２の下部防音ハウス４上の防音ハウス本体部３が切り離し可能なことから、歩道橋下の通過の際には、上部側の防音ハウス本体部３を下部側の防音ハウス駆動部２（下部防音ハウス４）から切り離してクレーン等で運び、防音ハウス駆動部２が歩道橋下を通過した後に、再び、防音ハウス本体部３を防音ハウス駆動部２（下部防音ハウス４）上に接続して組み立てられる。
従って、歩道橋下の通過に対応できる。
【００２４】
（３）前車輪６，６が操舵可能な転舵輪を兼ねていることから、必要に応じ舵を切って、防音ハウス１の位置合わせが行える。
以上の通り、工事の進行等に伴うクローラドリル（パーカッションドリル）の移動、即ち、現場の移動に合わせて、防音ハウス１を自走により移動して容易に再設置でき、面倒な解体・再組立作業を一切必要としない。
従って、工期を大幅に短縮できる。
【００２５】
なお、以上の実施の形態例においては、土木基礎工事に用いるクローラードリル（即ち、薬液注入工削孔用機械（パーカッションドリル）による工事現場の騒音対策として用いる移動式防音ハウスとしたが、本発明はこれに限定されるものではなく、建築基礎工事の作業機械を含む建築現場に移動式防音ハウスを用いてもよい。
また、移動式防音ハウスを構成する各部の諸元寸法等も任意であり、その他、具体的な細部構造等についても適宜に変更可能であることは勿論である。
【００２６】
【発明の効果】
以上のように、請求項１記載の発明に係る移動式防音ハウスによれば、下部に駆動装置により回転駆動力が伝達される複数の車輪を備えるため、車輪の駆動による自走することができ、しかも、ジャッキ装置を備えるため、移動の際に防音ハウスを上昇させて、容易に自走することができ、移動後は防音ハウスを確実に接地させて、再設置することができる。
これにより、工事の進行等に伴う作業機械の移動、即ち、現場の移動に合わせて、防音ハウスを自走させて容易に再設置することができ、面倒な解体・再組立作業を一切必要とすることがない。
従って、工期の大幅短縮を達成することができる。
【００２７】
さらに、請求項１記載の発明に係る移動式防音ハウスによれば、下部側の駆動部の上に上部側の本体部を切り離し可能に載せてなるため、歩道橋下や鉄道橋下や高架道下の通過の際には、上部側の本体部を下部側の駆動部から切り離してクレーン等で運び、下部側の駆動部が歩道橋下や鉄道橋下や高架道下を通過した後、上部側の本体部を下部側の駆動部上に再度接続して一体化できる。こうして、歩道橋下や鉄道橋下や高架道下の通過に際して確実に対応することができる。
【００２８】
そして、請求項２記載の発明に係る移動式防音ハウスによれば、防音ハウスと車軸との間に介設したジャッキ装置の駆動によって、接地状態の車輪に対して、移動の際に防音ハウスを上昇させたり、移動後の再設置の際に防音ハウスを下降させたりすることができ、また、転舵輪を備えるため、舵を切って防音ハウスを位置合わせすることができる。
【図面の簡単な説明】
【図１】本発明を適用した一例としての移動式防音ハウスの移動の際の外観を示す概略側面図である。
【図２】図１の移動の際における移動式防音ハウスの後方からの外観を示す概略後面図である。
【図３】図１の移動式防音ハウスの上部側の本体部を外して下部側の駆動部を示した概略平面図である。
【図４】図３の下部側の駆動部上から外した上部側の本体部を示した概略平面図である。
【図５】図１の移動式防音ハウスの防音パネルを外した骨組構造を示す概略側面図である。
【図６】図２の移動式防音ハウスの後面の防音パネルおよび開閉扉を外した構造を示す概略側面図である。
【図７】図１の移動式防音ハウスの前後中央部の構造を示す概略縦断面図である。
【図８】図３の下部側の駆動部の骨組構造を示す概略平面図である。
【図９】図４の上部側の本体部の構造を示す概略平面図である。
【図１０】図３の下部側の駆動部における前部機械デッキへの搭載物の配置を前方から示した概略正面図である。
【図１１】図１０の前部機械デッキへの搭載物の配置を上方から示した概略平面図である。
【図１２】図１の移動式防音ハウスの作業固定時の外観を示す概略側面図である。
【図１３】図２の移動式防音ハウスの作業固定時の外観を示す概略後面図である。
【符号の説明】
１  移動式防音ハウス
２  防音ハウス駆動部
３  防音ハウス本体部
４  下部防音ハウス
５  前部機械デッキ
６  前車輪
７  後車輪
８  開閉扉
９，１０  骨組部
１１  壁パネル
１２  ダクトパネル
１３  吸気ダクト
１４  骨組部
１５  壁パネル
１６  屋根パネル
１７  ダクトパネル
１８  排気パネル
１９  後車輪車軸
２０  ジャッキ装置
２１  前車輪車軸
２２  車軸支持ビーム
２３  ジャッキ装置
２４  操舵用の油圧モーター
２５  油圧ユニット
２６，２７  発電機
２８  スポットクーラー
２９  操作盤
【図１】
0003586009.tif 000003
【図２】
0003586009.tif 000004
【図３】
0003586009.tif 000005
【図４】
0003586009.tif 000006
【図５】
0003586009.tif 000007
【図６】
0003586009.tif 000008
【図７】
0003586009.tif 000009
【図８】
0003586009.tif 000010
【図９】
0003586009.tif 000011
【図１０】
0003586009.tif 000012
【図１１】
0003586009.tif 000013
【図１２】
0003586009.tif 000014
【図１３】
0003586009.tif 000015